(57)【要約】  【課題】  手相の悪相を改善できる器具の提供。  【解決手段】  ペン型の手相改善器具１あって、手３で把持する胴部６と、前記胴部６の先に設けられた尖り部２１を有する先端部２と、前記胴部６に装着された、滑り止め用の複数のバンド部４と、を備え、前記複数のバンド部４の前記胴部６上の位置は調整可能であるとともに、前記複数のバンド部４同士の間隔も調整可能である、ことを特徴とする、手相改善器具。【選択図】  図１
2020130418.tif 000002
【特許請求の範囲】
【請求項１】
ペン型の手相改善器具あって、
手で把持する胴部と、
前記胴部の先に設けられた尖り部を有する先端部と、
前記胴部に装着された、滑り止め用の複数のバンド部と、を備え、
前記複数のバンド部の前記胴部上の位置は調整可能であるとともに、
前記複数のバンド部同士の間隔も調整可能である、ことを特徴とする、手相改善器具。
【請求項２】
前記先端部はその尖り部が手の平の悪線に当接・圧入・圧迫されることによって、前記悪線が変形し改善する、請求項１記載の手相改善器具。
【請求項３】
前記尖り部は前記胴部に退避収納可能である、請求項１記載の手相改善器具。
【請求項４】
片方の手に請求項１記載の手相改善器具を持ち、他方の手の平の悪相線に前記手相改善器具の前記尖り部を当接・圧入・圧迫することによって、前記悪相線を改善することを特徴とする、手相悪相線の改善方法。
【発明の詳細な説明】
【技術分野】
【０００１】
本発明は、手相のたとえば運命線などの線を改善するための器具に関する。
【背景技術】
【０００２】
手相には、生命線、知能線、感情線、運命線等の線があります。すなわち、人の手の皺は個人によって異なり、それによって形成された線 、つまり手相線は、手相鑑定において重視される。
【先行技術文献】
【特許文献】
【０００３】
【特許文献１】特開２００２−１２８６６２号公報
【発明の概要】
【発明が解決しようとする課題】
【０００４】
しかしながら、従来の器具は使い勝手の点で面倒でありまた使い勝手も悪かった。
【０００５】
本発明は、上述された従来の課題を考慮し、使い勝手の良い手相改善器具を提供することを目的とする。
【課題を解決するための手段】
【０００６】
第１の本発明は、
ペン型の手相改善器具１あって、
手３で把持する胴部６と、
前記胴部６の先に設けられた  尖り部２１を有する先端部２と、
前記胴部６に装着された、滑り止め用の複数のバンド部４と、を備え、
前記複数のバンド部４の前記胴部６上の位置は調整可能であるとともに、
前記複数のバンド部４同士の間隔も調整可能である、ことを特徴とする、手相改善器具である。
【０００７】
第２の本発明は、
前記先端部２はその尖り部２１が手の平３１の悪線に当接・圧入・圧迫されることによって、前記悪線が変形し改善する、第１の本発明の手相改善器具である。
【０００８】
第３の本発明は、
前記尖り部２１は前記胴部６に退避収納可能である、第１の本発明の手相改善器具である。
【０００９】
第４の本発明は、片方の手に第１の本発明の手相改善器具１を持ち、他方の手の平の悪相線８に前記手相改善器具１の前記尖り部２１を当接・圧入・圧迫することによって、前記悪相線８を改善することを特徴とする手相悪相線の改善方法である。
【発明の効果】
【００１０】
第１の本発明により、使い勝手がよく、大きな手の人も小さな手の人も上手く使える手相改善器具が実現できる。
【００１１】
第２の本発明により、自由にバンド部が調整でき、強い力で悪相線を圧迫できるのでより使い勝手がよい。
【００１２】
第３の本発明により、尖っている尖り部が使用しないときは胴部に収納退避しておけるので、怪我などの危険を避けることができる。
【図面の簡単な説明】
【００１３】
【図１】本発明における実施の形態の手相改善器具の正面図
【図２】（ａ）、（ｂ）、（ｃ）本発明における実施の形態の手相改善器具の使用時におけるバンド部の使い分けを示す正面図
【図３】本発明における実施の形態の手相改善器具を用いて、手のひらの悪相線を改善する様子を示す斜視図
【図４】（ａ）、（ｂ）本発明における実施の形態の手相改善器具の尖り部の変形例をそれぞれ示す図
【発明を実施するための形態】
【００１４】
以下、図面を参照しながら、本発明における実施の形態について詳細に説明する。
【００１５】
ここに、図１は、本発明における実施の形態の手相改善器具の正面図である。
【００１６】
この手相改善器具１は胴部６を手で握るペン型のものである。
【００１７】
その胴部６の先には先を尖らせた先端部２が設けられている。そしてその先端部２の先には孔があいており、そこから尖り部２１が出し入れ出来るようになっている。
【００１８】
また、胴部６の後端にはその尖り部２１の出し入れを動作させるためのノック部７が設けられている。
【００１９】
さらに、胴部６の真ん中辺りにはバンド部４が巻かれている。このバンド部４は例えば３本のゴム輪で構成されている。
【００２０】
このバンド部４は胴部６を手の平で握った場合の滑り止め機能を果たすものである。
【００２１】
図２（ａ）、（ｂ）、（ｃ）は、本発明における実施の形態の手相改善器具の使用時におけるバンド部の使い分けを示す正面図である。
【００２２】
図２に示すように、この３本のゴム輪は（ａ）図に示すように、胴部６の中央よりやや下方に３本とも互いに密着している状態や、（ｂ）図に示すように、３本のゴム輪が互いに離れた状態や、（ｃ）図に示すように、胴部６の相当先端寄りに互いに密着して装着されている状態など、いろいろな位置と、互いの間隔もいろいろ変更できるものである。
【００２３】
このような構成によって、手の大きい人や、小さい人などいろいろな大きさの手を持つ人でも、それぞれの人にとって適切に握り、力を込めやすいような、装着位置や互いの間隔が容易に実現できる。
【００２４】
本発明の手相改善器具１は後述するように結構力を込める必要があるので、いろいろな大きさの手を有する人であっても最も握りやすく力を込めやすい状態にバンド部４を調整できることになる。
【００２５】
図３は本実施の形態の手相改善器具１を用いて、悪相線を改善する様子を示す斜視図である。
【００２６】
まず、例えば右の手の指３２で胴部６を握り、左手の手の平３１の中の悪相線８の所に、尖り部２１を当てる。
【００２７】
そして、力を込めて尖り部２１でその悪相線８を圧迫し続ける。そのため、バンド部４の事前調節が重要である。滑ると強い力が込められないからである。
【００２８】
例えば、図２（ａ）に示すように、バンド部４を胴部６の真ん中よりに位置させるか、図２（ｂ）に示すように、バンド部４のそれぞれの輪ゴムの間隔を広げるか、図２（ｃ）に示すように、バンド部４を胴部６の下よりの位置にして、個々の人の手に合うように調整するのが望ましい。
【００２９】
何回も強く押し付け圧迫すると、ペンダコや座りダコと同様に、その悪相線８の部分に肉が盛り上がったりして、悪相線８の状態が変化してくる。
【００３０】
このようにして、悪相線８を良い相線に変えることができる。
【００３１】
図４（ａ）、（ｂ）は本発明の先端部２の尖り部２１の変形例を示す図である。
【００３２】
先端部２の尖り部２１の形状は、上記図１に示すような先が直線に限らず、図４（ａ）に示すような谷形状であってもよく、あるいは図４（ｂ）に示すような円弧形状で出っ張っていてもかまわない。
【００３３】
要するに、皮膚を圧迫しタコを作りやすい形状であればよい。
【００３４】
なお、実際に本実施の形態の手相改善器具１を用いて実施した結果、尖り部２１が２ｍｍ程度であり、消したい悪相線が約２ｃｍ程度の場合、１日２回、１回１０秒程度ずらしながら１０回ほど加圧してみたところ、７日間ほどで除去された。  
【産業上の利用可能性】
【００３５】
本発明における手相改善器具は、使い勝手がよく、大きな手の人も小さな手の人も上手く使える手相改善器具が実現でき、手の悪相線に悩むひとにとって有用である。
【符号の説明】
【００３６】
１    手相改善器具
２    先端部
２１  尖り部
３    手
３１  左手の手の平
３２  右手の指
４    バンド部
６    胴部
７    ノック部
８    悪相線
【図１】
2020130418.tif 000003
【図２】
2020130418.tif 000004
【図３】
2020130418.tif 000005
【図４】
2020130418.tif 000006